(57)【特許請求の範囲】
【請求項１】
立設する選別筒（１）及びその内方に収嵌した螺旋体（１４）を回転させ、該選別筒（１）と螺旋体（１４）との間を揚穀される穀粒の粒径の大小によって選別すべく、選別筒（１）周面に設けた選別孔（１３）から屑粒を漏出させ、この屑粒を、選別筒（１）下方外周の選別筒（１）とともに回転する掻出羽根（１７）により、機体（２）側方下方に向け傾斜延設した屑粒シュート（３）から放出可能に構成するとともに、該屑粒シュート（３）傾斜底面に張設した糠落網（４）から糠を分別落下させることのできる縦型穀粒選別機の糠取装置において、前記糠落網（４）上方、且つ、糠落網（４）から離間させた高さ位置に案内板（２８）を設け、該案内板（２８）を、前記掻出羽根（１７）の掻出作用によって屑粒シュート（３）へ向け掻出される屑粒を受ける受側から斜め下方に向け延設してなる縦型穀粒選別機の糠取装置。
【請求項２】
屑粒シュート（３）の傾斜底面から屑粒を再び選別筒（１）内へ戻す還元シュート（２２）と、この屑粒の流れを屑粒シュート（３）側、もしくは還元シュート（２２）側とに切替え可能の切替板（２３）を設け、該切替板（２３）が屑粒を屑粒シュート（３）側へ案内する状態の時、切替板（２３）から屑粒シュート（３）側へ向け立設し、切替板（２３）と一体的に回動可能のガイド板（２７）を設けるとともに、該ガイド板（２７）を案内板（２８）と略平行に傾斜延設させて設けてなる請求項１記載の縦型穀粒選別機の糠取装置。
【発明の詳細な説明】
【技術分野】
【０００１】
本発明は、米や麦等の穀粒を粒径の大小によって選別し、屑粒を機体外へ放出することのできる穀粒選別機に関するものであり、詳しくは屑粒シュート傾斜底面に張設した糠落網によって糠を取る糠取装置に関するものである。
【背景技術】
【０００２】
従来より、機体側方下方に向け傾斜延設した屑粒シュートから屑粒を放出することができる穀粒選別機が特許文献１に記載されている。これらの屑粒シュート傾斜底面には糠取り用の糠落網が張設してあり、機体内部下方に設けた糠回収箱に該糠落網から分別落下する糠を回収することができるものである。
【特許文献１】実公昭６０−３６３８９号公報
【発明の開示】
【発明が解決しようとする課題】
【０００３】
しかしながら、特許文献１のように限られた範囲の篩い目（糠落網）で糠取りを行う場合、篩い目上を流れる穀粒の量が多くなると、穀粒の上層部は篩い目に接触しないまま放出されることとなり、十分な糠取りができなくなるという不都合があった。
本件発明は、簡単な構成で糠取りを効率良く行うことのできる糠取装置を提供することを課題とする。
【課題を解決するための手段】
【０００４】
立設する選別筒１及びその内方に収嵌した螺旋体１４を回転させ、該選別筒１と螺旋体１４との間を揚穀される穀粒の粒径の大小によって選別すべく、選別筒１周面に設けた選別孔１３から屑粒を漏出させ、この屑粒を、選別筒１下方外周の選別筒１とともに回転する掻出羽根１７により、機体２側方下方に向け傾斜延設した屑粒シュート３から放出可能に構成するとともに、該屑粒シュート３傾斜底面に張設した糠落網４から糠を分別落下させることのできる縦型穀粒選別機の糠取装置において、前記糠落網４上方、且つ、糠落網４から離間させた高さ位置に案内板２８を設け、該案内板２８を、前記掻出羽根１７の掻出作用によって屑粒シュート３へ向け掻出される屑粒を受ける受側から斜め下方に向け延設してなる縦型穀粒選別機の糠取装置の構成とする。
又、屑粒シュート３の傾斜底面から屑粒を再び選別筒１内へ戻す還元シュート２２と、この屑粒の流れを屑粒シュート３側、もしくは還元シュート２２側とに切替え可能の切替板２３を設け、該切替板２３が屑粒を屑粒シュート３側へ案内する状態の時、切替板２３から屑粒シュート３側へ向け立設し、切替板２３と一体的に回動可能のガイド板２７を設けるとともに、該ガイド板２７を案内板２８と略平行に傾斜延設させて設けてなる縦型穀粒選別機の糠取装置とする。
【発明の効果】
【０００５】
請求項１に記載の発明は、立設する選別筒１及びその内方に収嵌した螺旋体１４を回転させ、該選別筒１と螺旋体１４との間を揚穀される穀粒の粒径の大小によって選別すべく、選別筒１周面に設けた選別孔１３から屑粒を漏出させ、この屑粒を、選別筒１下方外周の選別筒１とともに回転する掻出羽根１７により、機体２側方下方に向け傾斜延設した屑粒シュート３から放出可能に構成するとともに、該屑粒シュート３傾斜底面に張設した糠落網４から糠を分別落下させることのできる縦型穀粒選別機の糠取装置において、前記糠落網４上方、且つ、糠落網４から離間させた高さ位置に案内板２８を設け、該案内板２８を、前記掻出羽根１７の掻出作用によって屑粒シュート３へ向け掻出される屑粒を受ける受側から斜め下方に向け延設してあるので、掻出羽根１７によって屑粒シュート３の受側へ向け片寄って掻出される屑粒を、逆方向の下方に向け案内し、屑粒が糠落網４に接触する時間を長くさせて確実な糠取りを行わせることができる。又、屑粒量が増加した場合に、糠落網４上を厚い層で流下する屑流の、案内板２８下端以上の上層部を屑粒の受側とは逆方向に向け案内し、屑粒層の高さを均一化して糠落網４上を接触流下させることができるので効率の良い糠取りを行わせることができる。
【０００６】
請求項２に記載の発明は、屑粒シュート３の傾斜底面から屑粒を再び選別筒１内へ戻す還元シュート２２と、この屑粒の流れを屑粒シュート３側、もしくは還元シュート２２側とに切替え可能の切替板２３を設け、該切替板２３が屑粒を屑粒シュート３側へ案内する状態の時、切替板２３から屑粒シュート３側へ向け立設し、切替板２３と一体的に回動可能のガイド板２７を設けるとともに、該ガイド板２７を案内板２８と略平行に傾斜延設させて設けてあるので、切替板２３を切替ればガイド板２７も切替板２３とともに回動し、屑粒を還元シュート２２側へ案内する状態においては、ガイド板２７が屑粒を案内せず、屑粒を屑粒シュート３側へ案内する状態では、掻出羽根１７によって掻出される屑粒の一部を、屑粒の受側とは逆方向の下方に向け案内することとなり、屑粒を確実に案内できるとともに、糠落網４による糠取りを効率良く行わせることができる。
【発明を実施するための最良の形態】
【０００７】
次に本件発明の縦型穀粒選別機における糠取装置について、図面を参照に説明する。断面四角筒状の外殻体１０の下部に基盤１１を横架し、該基盤１１上に受粒筒１２を設置し、その上に選別筒１３を回転可能に装着してある。選別筒１内には螺旋体１４を収嵌し、前記基盤１１下面に取着したギヤケース１５によって、選別筒１と螺旋体１４が互いに逆方向へ回転するよう構成してある。該ギヤケース１５下面には駆動用のモータ１６を取着してあるが、プーリやスプロケットを取着してＶベルトやチェーン等によりモータ１６の動力を伝動させてもよい。
【０００８】
選別する穀粒は、機体２後方の上下中央部に設けた供給ホッパー２１から前記受粒筒１２内へ供給する。
選別筒１の周面には、選別する穀粒の径に対応した長孔状の選別孔１３を複数列配列し、この選別孔１３から漏出する屑粒（米選別では小米や未熟米又は砕米を含む）は外殻体１０内を落下し、選別筒１下方外周の選別筒１と共に回転する掻出羽根１７によって屑粒シュート３から機体２外部へ放出させることができる。選別孔１３から漏出しない整粒は螺旋体１４によって送り上げられ、機体２上部から前方に突設する貯留タンク１８内へ放出される。貯留タンク１８下方にはシャッター１９を設け、その下方の計量器２０上に載置する穀粒袋６に整粒の袋詰め作業を行う。
【０００９】
屑粒を放出する屑粒シュート３は、機体２側方から下方に向け傾斜延設してあり、該屑粒シュート３には屑粒を再び受粒筒１２内へ還元する還元シュート２２と、屑粒の流れを還元シュート２２側、もしくは屑粒シュート３側とに切替え可能の切替板２３を設けてある。又、屑粒シュート３の傾斜底面には、屑粒に付着している糠を取るための糠落網４を張設してある。屑粒シュート３先端部の放出口２４下方には穀粒袋６を配置することが可能で、該放出口２４から放出される屑粒を袋詰めすることができる。
機体２側面と屑粒シュート３放出口２４との間の下方には、前記糠落網４から落下する糠が通る糠シュート５を設けてあり、糠シュート５下方には糠回収用の糠回収箱７を配置してある。この糠回収箱７は、屑粒放出口２４下方に穀粒袋６をセットした際の機体２と穀粒袋６との狭幅間に配設してある。回収箱７の前後には回収箱７を持つ取っ手２５を設けてあり、機体２側壁から突出する掛具に引っ掛けるよう構成（図示せず）し、回収箱７の着脱を容易にしてある。尚、回収箱７を容易に着脱可能な構成としては、前述の引っ掛け構成に限定するものではなく、回収箱７底面を受ける載置構成でもよく、穀粒袋６を移動させなくても回収箱７の着脱が可能な構成であればよい。
【００１０】
糠シュート５内の糠は回収箱７に回収するが、この回収箱７の容量は多い方が好ましい。従って、屑粒用の穀粒袋４と機体２との間の少ない隙間に狭幅の回収箱７を配置させ、その容量を多くするために、機体２前後に長い回収箱７形状に形成してある。本実施例においては取っ手２５を含めた回収箱７の前後長さ７Ｌは外殻体１０の前後長さ１０Ｌと略同じに形成し、外殻体１０の前後端から回収箱７が突出しないようにし、且つ、極力容量が多くなる形状に構成してある。
一方、回収箱７の前後長さを長くすると、糠シュート５から排出される糠が回収箱７内で単一の山状になり、回収箱７容量が有効に使われないまま糠シュート５の高さに蓄積されてしまうため、糠シュート５内に落下する糠を前後に分岐させる分岐板８を設けてある。この分岐板８で糠を機体２前後方向に分岐させることにより、回収箱７には前後２つの糠の山が形成され、糠が回収箱７の前後端部にまで行き渡り、回収箱７の容量を有効に利用することができる。尚、分岐板８は回収箱７側の糠が落下する位置に設けてもよく、又、分岐板８を複数個設けてもよい。
上記の屑粒放出構成により、屑粒用の穀粒袋６をセットした場合にも糠回収箱７の着脱が容易であるとともに、穀粒袋６を含む機体２設置幅Ｗを少なくすることが可能で、狭い設置スペースにも設置することができる。又、屑粒シュート３は、機体２の左右どちら側に設けてもよく、両側に設けることも可能である。
【００１１】
屑粒の流れを還元シュート２２と屑粒シュート３とに切替え可能の切替板２３は、切替レバー２６を操作することによって切替えることができる。図１に示すＡ位置では、屑粒が屑粒シュート３側を通り、切替レバー２６をＢ位置に操作すると、切替板２３が還元口２２ａを開放するとともに、屑粒の屑粒シュート３側への流れを阻止して還元シュート２２側へ案内する。
切替レバー２６がＡ位置での切替板２３傾斜上面には、掻出羽根１７の回転によって掻出される屑粒を受けて案内する第一ガイド板２７を立設してある。図２に示すように、還元口２２ａは右半分部に形成してあり、該還元口２２ａを閉鎖可能に設けた切替板２３に、左下方へ向け傾斜させた第一ガイド板２７を立設してある。
【００１２】
掻出羽根１７の回転方向は平面視左回り（図示せず）であり、図２においては屑粒シュート３の左上方から右下方へ向け掻出される。屑粒量が少ない時には、糠落網４の右半部で糠取りが可能であるが、屑粒量が多くなると、屑粒シュート３内を右側に片寄って掻出される屑粒の上層部は糠落網４に接触しないまま放出されることとなり、糠が取れないという不都合がある。
又、第一ガイド板２７を固定すると、還元口２２ａ開放時にも一部の屑粒が屑粒シュート３側へ流出するという不都合もある。
本実施例の第一ガイド板２７は切替板２３から立設してあるので、切替板２３とともに回動し、切替レバー２６をＢ位置に切替えた還元口２２ａを開放した状態においては屑粒を案内せず、切替レバー２６をＡ位置にして還元口２２ａを閉鎖した際に屑粒の一部を左下側へ向け案内し、糠落網４による糠取りを効率よく行わせることができる。
【００１３】
第一ガイド板２７下流の糠落網４上方には、該第一ガイド板２７と略平行に傾斜させた第二案内板２８を設けてある。第二案内板２８は、屑粒シュート３内の糠落網４から離間させた高さ位置に設けてあり、図２に示すように糠落網４の右半部に形成してある。
この第二案内板２８は図２において屑粒シュート３の右側に片寄って掻出される屑粒を左側へ向け案内し、屑粒が糠落網４に接触する時間を長くさせて確実な糠取りを行うとともに、屑粒量が増加した場合に、糠落網４上を厚い層で流下する屑粒の、第二案内板２８下端以上の上層部を左下方へ向け案内し、屑粒層の高さを均一化して糠落網４上を接触流下させるものである。
【００１４】
本実施例の縦型穀粒選別機は屑粒シュート３の底面に張設する糠落網４を延設し、更に下方に屈曲させて、還元シュート２２側でも糠取りを可能にしてある。還元シュート２２で取られた糠は屑粒シュート３で取られる糠と同様に糠シュート５に落下し、下方の回収箱７に回収される。
又、螺旋体１４と受粒筒１２との間の基盤１１には、供給ホッパー２１から供給される穀粒の糠を取るための、糠取孔３０を設けてある。機体２後方から受粒筒１２内へ供給される穀粒は、螺旋体１４の下端部が回転することにより、受粒筒１２内で一旦撹拌されながら送り上げられるが、この撹拌中に穀粒が糠取孔３０上を摺動することで、糠取りを行うものである。
尚、図１に示すように、糠取孔３０から落下する糠を回収箱７へ回収可能の糠シュート３１を別途設けてもよい。該糠取孔３０の直径は、選別筒１の選別孔１３と略同等程度に形成することが好ましく、米の選別においては１．７ｍｍ〜２．３ｍｍ程度の直径の糠取孔３０を設ければ適度の糠取効果を得ることが可能である。
【００１５】
屑粒シュート３底面に張設する糠落網４の網目幅は、小さ過ぎた場合には放出口２４から放出する屑粒に糠が混入し、大き過ぎると糠シュート５側へ未熟粒が混入するという不都合がある。本出願人のテスト結果では、供給ホッパー２１から供給される穀粒径と略同寸法の目幅を採用した場合に、最もよい糠と未熟粒との分別効率が得られた。従って本実施例の糠落網４の目幅は２．０７ｍｍ（１０メッシュに相当）に設定してある。尚、糠落網４の目幅の範囲は２ｍｍ±０．５ｍｍ程度が好ましい。
【００１６】
図５に示すのは、本実施例の縦型穀粒選別機の作業形態例を記載したものである。従来より、籾摺機４０から穀粒を供給しながら選別を行うとともに、計量袋詰めを同時に行う作業形態が主流であったが、近年、大規模農家等では選別と計量との作業を別々に行う作業形態が採用されている。
まず、籾摺機４０から供給する穀粒は、縦型穀粒選別機の後側の供給ホッパー２１から供給され整粒と屑粒とに選別される。整粒は、螺旋体１４によって貯留タンク１８に送り上げられ、下方のシャッター１９を開放しておくことで、連結パイプ４１内を通って揚穀装置４２に入る。揚穀装置４２に入った整粒は上方の穀粒タンク４３に揚穀される。従って籾摺機４０から供給される穀粒の選別作業をあらかじめまとめて行うことにより、作業の単純化が可能である。
選別作業が終わると、連結パイプ４１を取外し、計量袋詰め作業に移行する。本実施例の貯留タンク１８側面には穀粒タンク４３からの連結パイプ４４を接続可能に構成してある。穀粒タンク４３下方の開閉シャッター４５を開けると穀粒タンク４３の整粒を縦型選別機の貯留タンク１８内へ流入させることができる。開閉シャッター４５の開閉操作は、縦型穀粒選別機近傍の支柱４３ａに設けた開閉ハンドル４６を回すことによって行う。この状態で計量器２０上に穀粒袋６を置き計量袋詰め作業のみを連続して行うことができる。
【図面の簡単な説明】
【００１７】
【図１】要部の断正面図。
【図２】要部の一部断側面図。
【図３】全体側面図。
【図４】全体正面図。
【図５】作業形態の正面図。
【符号の説明】
【００１８】
１    選別筒
２    機体
３    屑粒シュート
４    糠落網
１３ 選別孔
１４ 螺旋体
１７ 掻出羽根
２２ 還元シュート
２３ 切替板
２７ ガイド板
２８ 案内板
【図１】
0004863170.tif 000002
【図２】
0004863170.tif 000003
【図３】
0004863170.tif 000004
【図４】
0004863170.tif 000005
【図５】
0004863170.tif 000006